(57)【要約】      （修正有）【課題】汗が発生しても脈波信号を正確に検出することができる検出装置を提供する。【解決手段】検出装置１００は、第１係合部１４を有し、皮膚に配置されるベース部１０と、第１係合部と係合する第２係合部２３を有し、心拍に由来する信号を検出する検出部と、を含み、ベース部には、検出部が信号を検出するための窓部４が設けられている。【選択図】図１
2017051317.tif 000002
【特許請求の範囲】
【請求項１】
第１係合部を有し、皮膚に配置されるベース部と、
前記第１係合部と係合する第２係合部を有し、心拍に由来する信号を検出する検出部と、
を含み、
前記ベース部には、前記検出部が前記信号を検出するための窓部が設けられている、検出装置。
【請求項２】
請求項１において、
前記ベース部は、汗を吸収する、検出装置。
【請求項３】
請求項１または２において、
前記検出部は、
前記窓部に向けて光を射出する発光素子と、
前記発光素子から射出されて前記皮膚側において反射された光を受光する受光素子と、
を有する、検出装置。
【請求項４】
請求項１ないし３のいずれか１項において、
前記窓部は、開口部である、検出装置。
【請求項５】
請求項４において、
前記第１係合部は、前記窓部を囲んで設けられている、検出装置。
【請求項６】
請求項４または５において、
前記窓部の平面形状は、円形であり、
前記第１係合部の平面形状は、円環状であり、
前記窓部の中心と前記第１係合部の中心とは、同じ位置にある、検出装置。
【請求項７】
請求項１ないし６のいずれか１項において、
前記ベース部は、前記皮膚に配置されるシート状のシート部を有し、
前記第１係合部は、前記シート部から前記検出部側に突出する凸部であり、
前記第１係合部のヤング率は、前記シート部のヤング率よりも大きい、検出装置。
【請求項８】
請求項１ないし７のいずれか１項において、
前記検出部は、汗に由来する信号を検出する汗信号検出部を有する、検出装置。
【発明の詳細な説明】
【技術分野】
【０００１】
本発明は、検出装置に関する。
【背景技術】
【０００２】
脈拍計とは、人体の心拍に由来する拍動を検出するための装置であって、例えば、腕、手のひら、手指などに装着される脈波センサーからの信号に基づいて、心拍に由来する信号を検出する装置である。
【０００３】
脈波センサーとしては、例えば光電センサーが用いられる。光電センサーは、例えば、生体に対して照射された光の反射光又は透過光を検出する。血管内の血流量に応じて、照射された光の生体での吸収量、反射量が異なるため、光電センサーで検出したセンサー情報（脈波センサー信号）は血流量等に対応した信号となり、当該信号を解析することで拍動に関する情報を取得することができる。
【０００４】
例えば特許文献１では、手首における脈拍数測定において、光センサーを用いて脈波信号を検出することが記載されている。
【先行技術文献】
【特許文献】
【０００５】
【特許文献１】特開２００７−７５４８２号公報
【発明の概要】
【発明が解決しようとする課題】
【０００６】
しかしながら、上記のような脈波信号を検出する検出装置において、暑熱環境や運動で発生する汗によって例えば光干渉が生じ、心拍に由来する信号を検出することができない場合があった。
【０００７】
本発明のいくつかの態様に係る目的の１つは、汗が発生した場合でも脈波信号を検出することができる検出装置を提供することにある。
【課題を解決するための手段】
【０００８】
本発明に係る検出装置は、
第１係合部を有し、皮膚に配置されるベース部と、
前記第１係合部と係合する第２係合部を有し、心拍に由来する信号を検出する検出部と、
を含み、
前記ベース部には、前記検出部が前記信号を検出するための窓部が設けられている。
【０００９】
このような検出装置では、窓部において皮膚から汗が発生しても、例えば検出部から射出された光が汗に入射することを抑制することができ、汗が発生した場合でも脈波信号（心拍に由来する信号）を検出することができる。
【００１０】
本発明に係る検出装置において、
前記ベース部は、汗を吸収してもよい。
【００１１】
このような検出装置では、窓部において皮膚から汗が発生しても、該汗は、例えば体動などによってベース部側に移動してベース部において吸収される。したがって、このような検出装置では、汗が発生した場合でも脈波信号を、より確実に検出することができる。
【００１２】
本発明に係る検出装置において、
前記検出部は、
前記窓部に向けて光を射出する発光素子と、
前記発光素子から射出されて前記皮膚側において反射された光を受光する受光素子と、
を有していてもよい。
【００１３】
このような検出装置では、光学的方法によって、心拍に由来する信号を検出することができる。
【００１４】
本発明に係る検出装置において、
前記窓部は、開口部であってもよい。
【００１５】
このような検出装置では、例えば窓部が切り欠き部である場合に比べて、窓部において皮膚から汗が発生しても、ベース部において汗を吸収しやすい。
【００１６】
本発明に係る検出装置において、
前記第１係合部は、前記窓部を囲んで設けられていてもよい。
【００１７】
このような検出装置では、例えば第１係合部が窓部を囲んでおらず島状に設けられている場合に比べて、窓部の位置に対して脈波信号検出部の位置がずれることを、より確実に抑制することができる。
【００１８】
本発明に係る検出装置において、
前記窓部の平面形状は、円形であり、
前記第１係合部の平面形状は、円環状であり、
前記窓部の中心と前記第１係合部の中心とは、同じ位置にあってもよい。
【００１９】
このような検出装置では、ベース部と検出部とを嵌め合わせる際に、窓部を目印にしてベース部に検出部を配置させて、第１係合部と第２係合部とを係合させることができる。したがって、このような検出装置では、容易に、ベース部と検出部とを嵌め合わせることができ、高い利便性を有することができる。
【００２０】
本発明に係る検出装置において、
前記ベース部は、前記皮膚に配置されるシート状のシート部を有し、
前記第１係合部は、前記シート部から前記検出部側に突出する凸部であり、
前記第１係合部のヤング率は、前記シート部のヤング率よりも大きくてもよい。
【００２１】
このような検出装置では、例えばシート部がゲル状であり、第１係合部のヤング率がシート部のヤング率以下である場合に比べて、ベース部に対して検出部を強固に固定することができる。
【００２２】
本発明に係る検出装置において、
前記検出部は、汗に由来する信号を検出する汗信号検出部を有していてもよい。
【００２３】
このような検出装置では、汗信号検出部において検出された信号に基づいて、有益な情報を得ることができる。
【図面の簡単な説明】
【００２４】
【図１】本実施形態に係る検出装置を模式的に示す断面図。
【図２】本実施形態に係る検出装置を模式的に示す平面図。
【図３】本実施形態に係る検出装置の外観を模式的に示す図。
【図４】本実施形態に係る検出装置を模式的に示す断面図。
【図５】本実施形態の第１変形例に係る検出装置を模式的に示す断面図。
【図６】本実施形態の第２変形例に係る検出装置を模式的に示す断面図。
【発明を実施するための形態】
【００２５】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２６】
１．  検出装置
まず、本実施形態に係る検出装置について、図面を参照しながら説明する。図１は、本実施形態に係る検出装置１００を模式的に示す断面図である。図２は、本実施形態に係る検出装置１００を模式的に示す平面図である。図３は、本実施形態に係る検出装置１００の外観を模式的に示す図である。
【００２７】
検出装置１００は、図１〜図３に示すように、ベース部１０と、検出部２０と、を含む。なお、図１は、図２のＩ−Ｉ線断面図である。また、便宜上、図２では、検出部２０の図示を省略している。また、便宜上、図３では、ベース部１０の図示を省略している。
【００２８】
検出装置１００は、図３に示すように、腕時計のような形状を有している。検出装置１００は、通常の腕時計としての計時機能を備えていてもよい。検出装置１００の検出部２０には、バンド２が取り付けられており、バンド２を被験者の手首に巻きつけて締めることにより、検出装置１００は、被験者の身体に装着される。検出装置１００は、ウェアラブル機器である。検出装置１００は、表示面を有する表示部３を有している。表示部３には、例えば、被験者の心拍数などが表示される。なお、便宜上、図１および図２では、バンド２の図示を省略している。
【００２９】
ベース部１０は、図１に示すように、皮膚１０２に配置されて汗を吸収する。ベース部１０は、汗吸収部である。ベース部１０は、皮膚１０２と検出部２０との間に設けられている。ベース部１０は、シート部１２と、第１係合部１４と、を有している。
【００３０】
シート部１２は、皮膚１０２に配置される。シート部１２は、皮膚１０２に貼られてもよい。シート部１２は、シート状の形状を有している。シート部１２は、例えば、ゲル状であり、バンド２を被験者の手首に巻きつけて締めることにより、シート部１２は手首の形状に合わせて変形し、皮膚１０２に密着される。シート部１２の材質は、例えば、シリコーンハイドロゲル、高分子ゲルなどである。シート部１２は、汗を吸収して体積変化してもよい（膨らんでもよい）。
【００３１】
シート部１２には、検出部２０が心拍に由来する信号を検出するための窓部４が設けられている。図２に示す例では、窓部４は、開口部である。平面視において（例えばセンサー基板２２の厚さ方向からみて）、窓部４は、シート部１２に囲まれている。図示の例では、窓部４の平面形状（平面視における形状）は、円形であり、シート部１２の平面形状は、円環状である。窓部４の中心とシート部１２の中心とは、同じ位置であってもよい。窓部４は、検出部２０の脈波信号検出部２４からの光を通す部分である。脈波信号検出部２４からの光は、窓部４を通って、皮膚１０２に至る。図示はしないが、窓部４には、脈波信号検出部２４からの光を透過する透明基板が設けられていてもよい。
【００３２】
なお、窓部４の形状や位置は、脈波信号検出部２４からの光を通すことができれば特に限定されず、例えば、シート部１２の平面形状は、円形の一部を切り欠いた形状であってもよい（窓部４は切り欠き部であってもよい）。例えば、窓部４の外周は、シート部１２の外周に連続していてもよい。
【００３３】
第１係合部１４は、例えば、シート部１２から検出部２０側に突出する凸部である。第１係合部１４は、例えば、平面視において、窓部４を囲んで設けられている。図２に示す例では、第１係合部１４の平面形状は、円環状である。窓部４の中心と第１係合部１４の中心とは、同じ位置にあってもよい。なお、第１係合部１４の平面形状は、第１係合部１４が第２係合部２３と係合することができれば、特に限定されない。第１係合部１４のヤング率は、シート部１２のヤング率よりも大きい。第１係合部１４の材質は、例えば、シリコンやプラスチックである。第１係合部１４は、図示せぬ接着剤を介してシート部１２に接着されていてもよい。
【００３４】
検出部２０は、ベース部１０上に（ベース部１０の皮膚１０２側とは反対側に）設けられている。検出部２０は、センサー基板２２と、脈波信号検出部２４と、を有している。
【００３５】
センサー基板２２は、例えば、ベース部１０と接して設けられている。センサー基板２２は、第１係合部１４と係合する第２係合部２３を有している。第２係合部２３は、センサー基板２２の第１面２２ａに設けられている。第１面２２ａは、表示部３が設けられているセンサー基板２２の第２面２２ｂと反対側の面であり、シート部１２と接触する面である。第１係合部１４と第２係合部２３とが係合していることにより、検出部２０は、ベース部１０に対して所定の位置に配置される。第１係合部１４と第２係合部２３との係合により、検出部２０は、ベース部１０に対して所定の位置に固定されていてもよい。第２係合部２３は、例えば、凸部である第１係合部１４に対応する凹部である。第２係合部２３の平面形状は、第１係合部１４と同様に、円環状であってもよい。なお、図示はしないが、第１係合部１４と第２係合部２３とが係合すれば、第１係合部１４が凹部で、第２係合部２３が凸部であってもよい。センサー基板２２は、例えば、ガラスエポキシ基板である。
【００３６】
脈波信号検出部２４は、センサー基板２２に設けられている。ここで、図４は、脈波信号検出部２４近傍の拡大図である。脈波信号検出部２４は、図４に示すように、窓部４に向けて光を射出する発光素子２５と、皮膚１０２側において反射された光を受光する受光素子２６と、を有している。
【００３７】
発光素子２５は、センサー基板２２に設けられている。図示の例では、センサー基板２２の第１面２２ａには、収容空間６が設けられ、発光素子２５および受光素子２６は、収容空間６内に並んで実装されている。発光素子２５は、光を射出する発光面２５ａを有している。発光素子２５は、例えば、ＬＥＤ（Ｌｉｇｈｔ  Ｅｍｉｔｔｉｎｇ  Ｄｉｏｄｅ）である。発光素子２５から射出される光の波長は、血液１０６に吸収されやすい波長であることが望ましく、発光素子２５から射出される光は、例えば、緑色光または青色光である。図４に示すように、発光面２５ａには、レンズ２５ｂが設けられていてよい。
【００３８】
受光素子２６は、センサー基板２２に設けられている。受光素子２６は、発光素子２５から射出されて皮膚１０２側において反射された光が入射する検出面２６ａを有している。受光素子２６は、検出面２６ａに入射する光を光電変換することにより、心拍に由来する情報を含む電気信号を生成する。受光素子２６は、例えば、入射する光の強度に応じた検出電流を出力するＰＤ（フォトダイオード）である。
【００３９】
センサー基板２２には、透明基板２７が設けられている。図示の例では、透明基板２７は、収容空間６内に設けられ、接着部材２８を介してセンサー基板２２に接着されている。透明基板２７の材質は、例えば、ガラス、アクリルである。発光素子２５から射出された光は、透明基板２７を通って、被験者の皮膚１０２に入射する。
【００４０】
被験者の皮膚１０２に入射した光は、被験者の表皮を透過して、その奥にある真皮の中の血管１０４に到達する。血管１０４に到達した光の一部は、血管１０４内を流れる血液１０６によって吸収される（具体的にはヘモグロビンによって吸収される）。一方、血管１０４に到達した光の内で血液１０６によって吸収されなかった光の一部は、生体組織における散乱等を経た後に、反射光として受光素子２６の検出面２６ａに到達する。
【００４１】
ここで、被験者の血管１０４（特に、動脈）は、心拍と同じ周期で膨張と収縮とを繰り返している。したがって、血管１０４内を流れる血液１０６による光の減衰量は、血管１０４の膨張および収縮の周期と同じ周期で時間的に変動する。そこで、被験者の血管１０４において反射した光を検出し検出された光の強度から、被験者の脈波を測定することができる。脈波信号検出部２４は、血管１０４において反射した光を、心拍に由来する信号（脈波信号）として検出することができる。受光素子２６から出力される電気信号は、測定部位における血管１０４の容積変化に関する情報を有するものとなる。
【００４２】
検出装置１００は、例えば、以下の特徴を有する。
【００４３】
検出装置１００では、第１係合部１４を有し、皮膚１０２に配置されるベース部１０と、第１係合部１４と係合する第２係合部２３を有し、心拍に由来する信号を検出する検出部２０と、を含み、ベース部１０には、検出部２０が心拍に由来する信号を検出するための窓部４が設けられている。そのため、検出装置１００では、窓部４において皮膚１０２から汗が発生しても、該汗は、例えば体動などによってベース部１０側に移動して窓部４に汗が存在しない状態にすることができる。したがって、例えば脈波信号検出部２４から射出された光が汗に入射することを抑制することができ、汗が発生した場合でも例えば光干渉を起こしにくく脈波信号（心拍に由来する信号）を検出することができる。
【００４４】
さらに、検出装置１００では、第１係合部１４および第２係合部２３によって、窓部４に対する脈波信号検出部２４の位置は、所定の位置に案内される。そのため、検出装置１００では、脈波信号検出部２４が、脈波信号検出部２４から射出された光がベース部１０に入射し皮膚１０２に到達しないような配置になることを抑制することができる。
【００４５】
さらに、検出装置１００では、検出部２０と皮膚１０２との間にはベース部１０が設けられている。ベース部１０は、ゲル等で形成される場合には、クッション性、振動吸収性を有する。そのため、検出装置１００では、被験者の運動による振動を検出部２０が受け難い。
【００４６】
検出装置１００では、ベース部１０は、汗を吸収する。検出装置１００では、窓部４において皮膚１０２から汗が発生しても、該汗は、例えば体動などによってベース部１０側に移動してベース部１０において吸収される。したがって、検出装置１００では、汗が発生した場合でも脈波信号を、より確実に検出することができる。
【００４７】
検出装置１００では、検出部２０の脈波信号検出部２４は、窓部４に向けて光を射出する発光素子２５と、発光素子２５から射出されて皮膚１０２側において反射された光を受光する受光素子２６と、を有する。そのため、検出装置１００では、光学的方法によって、心拍に由来する信号を検出することができる。
【００４８】
検出装置１００では、窓部４は、開口部である。すなわち、窓部４は、平面視において、ベース部１０に囲まれている。そのため、検出装置１００では、例えば窓部４が切り欠き部である場合に比べて、窓部４において皮膚１０２から汗が発生しても、窓部４の内側で発生した汗を全周にわたって全方位から吸収できるので、ベース部１０において汗を吸収しやすい。
【００４９】
検出装置１００では、第１係合部１４は、平面視において、窓部４を囲んで設けられている。そのため、検出装置１００では、例えば第１係合部１４が窓部４を囲んでおらず島状に設けられている場合に比べて、窓部４の位置に対して脈波信号検出部２４の位置がずれることを、より確実に抑制することができる。
【００５０】
検出装置１００では、窓部４の平面形状は、円形であり、第１係合部１４の平面形状は、円環状であり、窓部４の中心と第１係合部１４の中心とは、同じ位置にある。そのため、検出装置１００では、ベース部１０と検出部２０とを嵌め合わせる際に、窓部４を目印にしてベース部１０に検出部２０を配置させて、第１係合部１４と第２係合部２３とを係合させることができる。したがって、検出装置１００では、容易に、ベース部１０と検出部２０とを嵌め合わせることができ、高い利便性を有することができる。
【００５１】
検出装置１００では、第１係合部１４は、シート部１２から検出部２０側に突出する凸部であり、第１係合部１４のヤング率は、シート部１２のヤング率よりも大きい。したがって、検出装置１００では、例えばシート部１２がゲル状であり、第１係合部１４のヤング率がシート部１２のヤング率以下である場合に比べて、ベース部１０に対して検出部２０を強固に固定することができる。
【００５２】
２．  検出装置の変形例
２．１．  第１変形例
次に、本実施形態の第１変形例に係る検出装置について、図面を参照しながら説明する。図５は、本実施形態の第１変形例に係る検出装置２００を模式的に示す断面図である。
【００５３】
以下、本実施形態の第１変形例に係る検出装置２００において、本実施形態に係る検出装置１００の構成部材と同様の機能を有する部材については同一の符号を付し、その詳細な説明を省略する。このことは、以下に示す本実施形態の第２変形例に係る検出装置についても同様である。
【００５４】
検出装置２００では、図５に示すように、検出部２０が汗に由来する信号を検出する汗信号検出部３０を有している点において、上述した検出装置１００と異なる。図示の例では、汗信号検出部３０は、ベース部１０に向けて光を射出する発光素子３２と、発光素子３２から射出されてベース部１０において反射された光を検出する光検出素子３４と、を有している。
【００５５】
発光素子３２および光検出素子３４は、センサー基板２２に設けられている。図示の例では、センサー基板２２の第１面２２ａ側に収容空間７が設けられ、発光素子３２および光検出素子３４は、収容空間７内に並んで設けられている。発光素子３２は、例えば、ＬＥＤである。発光素子３２から射出される光の波長は、特に限定されない。
【００５６】
光検出素子３４は、分光器および受光素子を有している。分光器は、例えば、ファブリペロー共振を利用したエタロン等で形成されており、通過波長帯域を可変とすることができる。受光素子は、例えば、ＰＤである。光検出素子３４では、ベース部１０において反射された光を波長ごとに（反射された光の色ごとに）検出することができる。
【００５７】
ここで、高分子ゲルは、浸み込んだ溶媒の種類に応じて膨潤の度合いが変わり、これに伴って粒子間距離が変わって、構造色（コロイド結晶による構造色）が変わる。したがって、ベース部１０を高分子ゲルによって形成することにより、ベース部１０は汗中の特性成分によって構造色が変化する。この構造色の変化を、分光器を通過し受光素子で受光された光として検出し検出された光の強度から、例えば汗中の特定成分の濃度を得ることができる。汗信号検出部３０は、ベース部１０において反射した光を、汗に由来する信号として検出することができる。汗中の特性成分としては、例えば、乳酸が挙げられる。
【００５８】
高分子ゲルは、例えば、単量体（モノマー）、重合開始剤、および架橋剤等を反応させることにより高分子材料を作製し、該高分子材料に溶媒を含ませることにより高分子材料をゲル化させて、形成される。
【００５９】
乳酸を特定成分として検出する場合には、単量体として、例えば、３−アクリルアミドフェニルボロン酸、ビニルフェニルボロン酸、アクリロイロキシフェニルボロン酸、Ｎ−イソプロピルアクリルアミド（ＮＩＰＡＡｍ）、エチレンビスアクリルアミド、Ｎ−ヒドロキシエチルアクリルアミド等を用いた高分子ゲルがある。
【００６０】
重合開始剤としては、例えば、その重合様式によって、適宜選択することができる。架橋剤としては、例えば、重合性官能基を２個以上有する化合物を用いることができる。溶媒としては、例えば、各種有機溶媒や無機溶媒を用いることができる。
【００６１】
なお、汗中の特定成分は、乳酸に限定されず、ナトリウムやカリウムであってもよい。このような成分を検出する場合には、汗信号検出部３０を例えば電気回路で構成し、汗を吸収したベース部１０のインピーダンスを測定するようにしてもよい。そして、インピーダンスの変化により、ナトリウムやカリウムの濃度を測定することができる。
【００６２】
検出装置２００では、検出装置１００と同様に、汗が発生しても脈波信号を正確に検出することができる。
【００６３】
さらに、検出装置２００では、汗に由来する信号を検出する汗信号検出部３０を有する。そのため、検出装置２００では、汗信号検出部３０において検出された信号に基づいて、有益な情報を被験者に与えることができる。検出装置２００では、脈波信号検出部２４と汗信号検出部３０とを有しているため、発汗がほとんどない低負荷運動から、発汗量が多い高温高湿下や高強度運動下のいずれの運動に対しても有益な情報を提供することができる。さらに、検出装置２００では、汗に由来する情報と心拍に由来する情報とを組み合わせて、例えば両者を互いに補正してさらに正確な情報を得たり、両者からより高度な情報を得たりしてもよい。
【００６４】
２．２．  第２変形例
次に、本実施形態の第２変形例に係る検出装置について、図面を参照しながら説明する。図６は、本実施形態の第２変形例に係る検出装置３００を模式的に示す断面図である。
【００６５】
検出装置３００では、図６に示すように、脈波信号検出部２４の構造が上述した検出装置１００と異なる。検出装置３００では、脈波信号検出部２４は、センサー基板２２の第１面２２ａ側に形成された円形底面を有する半球状の収容空間８内に配置されている。収容空間８の内面（収容空間８を規定するセンサー基板２２の面）２２ｃは、光を反射する反射面（鏡面）となっている。発光素子２５は、支持基板２９の下面（皮膚１０２側の面）に実装されている。受光素子２６は、支持基板２９の上面（皮膚１０２側とは反対側の面）に実装されている。
【００６６】
発光素子２５によって被験者の皮膚１０２に向けて光が射出されると、射出された光の一部が血液１０６において反射して収容空間８に反射光として戻ってくる。反射光は、反射面である内面２２ｃにおいてさらに反射して、受光素子２６に上方から入射する。
【００６７】
検出装置３００では、検出装置１００と同様に、汗が発生しても脈波信号を正確に検出することができる。
【００６８】
なお、検出装置３００は、検出装置２００と同様に、汗信号検出部３０を有していてもよい。
【００６９】
本発明は、本願に記載の特徴や効果を有する範囲で一部の構成を省略したり、各実施形態や変形例を組み合わせたりしてもよい。
【００７０】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００７１】
２…ベルト、３…表示部、４…窓部、６，７，８…収容空間、１０…ベース部、１２…シート部、１４…第１係合部、２０…検出部、２２…センサー基板、２２ａ…第１面、２２ｂ…第２面、２２ｃ…内面、２３…第２係合部、２４…脈波信号検出部、２５…発光素子、２５ａ…発光面、２５ｂ…レンズ、２６…受光素子、２６ａ…検出面、２７…透明基板、２８…接着部材、２９…支持基板、３０…汗信号検出部、３２…発光素子、３４…光検出素子、１００…検出装置、１０２…皮膚、１０４…血管、１０６…血液、２００，３００…検出装置
【図１】
2017051317.tif 000003
【図２】
2017051317.tif 000004
【図３】
2017051317.tif 000005
【図４】
2017051317.tif 000006
【図５】
2017051317.tif 000007
【図６】
2017051317.tif 000008